(57)【要約】【課題】簡易な構成で、商品の保管場所および賞味期限を管理することが可能なプリンタ装置およびプリンタシステムを提供する。【解決手段】印字実行部（印字手段）は、保管場所指定部（指定手段）が保管場所を指定した商品に貼付する、少なくとも商品の名称と賞味期限と賞味時間とを含む情報をラベルに印字する。印字データ記憶部（記憶手段）は、印字した情報を記憶して、残期間算出部（算出手段）は、印字データ記憶部が記憶した情報に基づいて、その時点における商品の賞味期限までの残期間を算出する。そして、情報表示部（表示手段）は、印字実行部が印字した商品に係る情報を、残期間ごとに表示する。【選択図】図３
2020082541.tif 000002
【特許請求の範囲】
【請求項１】
商品の保管場所を指定する指定手段と、
前記指定手段が保管場所を指定した商品に貼付する、少なくとも当該商品の名称と賞味期限とを含む情報を印字する印字手段と、
前記印字手段が印字した情報を記憶する記憶手段と、
前記記憶手段が記憶した情報に基づいて、その時点における前記商品の賞味期限までの残期間を算出する算出手段と、
前記印字手段が印字した商品に係る情報を、前記残期間ごとに表示する表示手段と、
を備えるプリンタ装置。
【請求項２】
前記印字手段は、更に、商品の保管場所を印字する、
請求項１に記載のプリンタ装置。
【請求項３】
前記指定手段は、更に、既に保管場所を指定した商品に対して、保管場所の変更を指定する機能を備える、
請求項１または請求項２に記載のプリンタ装置。
【請求項４】
前記指定手段は、更に、既に保管場所を指定した商品に対して、当該商品の一部について新たな保管場所を指定する機能を備える、
請求項１から請求項３のいずれか１項に記載のプリンタ装置。
【請求項５】
サーバ装置と、プリンタ装置と、を備えるプリンタシステムであって、
前記サーバ装置は、
前記プリンタ装置が印字した情報を記憶する記憶手段を備えて、
前記プリンタ装置は、
商品の保管場所を指定する指定手段と、
前記指定手段が保管場所を指定した商品に貼付する、少なくとも当該商品の名称と賞味期限とを含む情報を印字する印字手段と、
前記記憶手段が記憶した情報に基づいて、その時点における前記商品の賞味期限までの残期間を算出する算出手段と、
前記印字手段が印字した商品に係る情報を、前記残期間ごとに表示する表示手段と、を備える、
プリンタシステム。
【請求項６】
サーバ装置と、端末装置と、プリンタ装置と、を備えるプリンタシステムであって、
前記サーバ装置は、
前記プリンタ装置が印字した情報を記憶する記憶手段を備えて、
前記端末装置は、
商品の保管場所を指定する指定手段と、
前記記憶手段が記憶した情報に基づいて、その時点における前記商品の賞味期限までの残期間を算出する算出手段と、
前記プリンタ装置が印字した商品に係る情報を、前記残期間ごとに表示する表示手段と、を備えて、
前記プリンタ装置は、
前記指定手段が保管場所を指定した商品に貼付する、少なくとも当該商品の名称と賞味期限とを含む情報を印字する印字手段を備える
プリンタシステム。
【発明の詳細な説明】
【技術分野】
【０００１】
本発明の実施形態は、プリンタ装置およびプリンタシステムに関する。
【背景技術】
【０００２】
従来、例えば、食品に貼付したＲＦＩＤタグに当該食品に係る情報を記録して、ＲＦＩＤタグに記録された情報と、食品の重量とを、当該食品を保存する冷蔵庫が読み取ることによって、食品の保管場所および賞味期限を管理する例が知られている（例えば、特許文献１）。
【０００３】
しかしながら、このような従来例にあっては、ＲＦＩＤタグの読み書きを行う機能を用いる必要があるとともに、冷蔵庫の保管場所ごとに重量センサを設置する必要があるため、装置の構成が複雑になるという課題があった。
【発明の概要】
【発明が解決しようとする課題】
【０００４】
本発明が解決しようとする課題は、より簡易な構成で、商品の保管場所および賞味期限を管理することが可能なプリンタ装置およびプリンタシステムを提供することである。
【課題を解決するための手段】
【０００５】
実施形態のプリンタ装置は、指定手段と、印字手段と、記憶手段と、算出手段と、表示手段とを備える。指定手段は、商品の保管場所を指定する。印字手段は、指定手段が保管場所を指定した商品に貼付する、少なくとも当該商品の名称と賞味期限とを含む情報を印字する。記憶手段は、印字手段が印字した情報を記憶する。算出手段は、記憶手段が記憶した情報に基づいて、その時点における商品の賞味期限までの残期間を算出する。表示手段は、印字手段が印字した商品に係る情報を、残期間ごとに表示する。
【図面の簡単な説明】
【０００６】
【図１】図１は、第１の実施形態のラベルプリンタの一例を示す外観図である。
【図２】図２は、第１の実施形態のラベルプリンタのハードウェア構成の一例を示すハードウェアブロック図である。
【図３】図３は、第１の実施形態のラベルプリンタの機能構成の一例を示す機能ブロック図である。
【図４】図４は、ラベルプリンタが印字するラベルの一例、及びラベルが貼付された商品の一例を示す図である。
【図５】図５は、商品の保存場所である冷蔵庫の一例を示す外観図である。
【図６】図６は、冷蔵庫の保管場所を示す保管場所マスタの一例を示す図である。
【図７】図７は、商品の保管場所を指定する保管場所指定画面の一例を示す図である。
【図８】図８は、ラベルの発行実績を示す発行実績ファイルの一例を示す図である。
【図９】図９は、商品の賞味期限までの残期間を表示した残期間表示画面の一例を示す図である。
【図１０】図１０は、商品の保管場所を変更する際の保管場所変更指定画面の一例を示す図である。
【図１１】図１１は、第１の実施形態のラベルプリンタが、ラベルの印字を行う際の処理の流れの一例を示すフローチャートである。
【図１２】図１２は、第１の実施形態のラベルプリンタが、商品の賞味期限までの残期間を表示する処理の流れの一例を示すフローチャートである。
【図１３】図１３は、第１の実施形態のラベルプリンタが、商品の保管場所変更時に行う処理の流れの一例を示すフローチャートである。
【図１４】図１４は、第２の実施形態のプリンタシステムの一例を示す外観図である。
【図１５】図１５は、サーバ装置のハードウェア構成の一例を示すハードウェアブロック図である。
【図１６】図１６は、第２の実施形態のプリンタシステムの機能構成の一例を示す機能ブロック図である。
【図１７】図１７は、第２の実施形態のプリンタシステムが、新たなラベルの印字を行う際に行う処理の流れの一例を示すフローチャートである。
【図１８】図１８は、第３の実施形態のプリンタシステムの一例を示す外観図である。
【図１９】図１９は、端末装置のハードウェア構成の一例を示すハードウェアブロック図である。
【図２０】図２０は、第３の実施形態のプリンタシステムの機能構成の一例を示す機能ブロック図である。
【図２１】図２１は、第３の実施形態のプリンタシステムが、新たなラベルの印字を行う際の処理の流れの一例を示すフローチャートである。
【発明を実施するための形態】
【０００７】
（第１の実施形態）
以下、添付図面を参照して、本発明の第１の実施形態について説明する。
【０００８】
（ラベルプリンタの概略構成の説明）
図１は、第１の実施形態のラベルプリンタ１０の一例を示す外観図である。ラベルプリンタ１０は、レストランやスーパーマーケット等で使用される、商品（食材）に貼付するラベル５０を印字するプリンタである。ラベルプリンタ１０は、ディスプレイ１３を備える上部カバー１１と、本体カバー１２とを備える。ディスプレイ１３は、例えば、タッチパネル１４が積層された液晶ディスプレイ等である。ラベルプリンタ１０は、上部カバー１１が開かれると本体カバー１２の内部に、ロール状のラベル用紙を収納する収納部（不図示）を備える。また、ラベルプリンタ１０は、本体カバー１２の内部に、ラベル用紙に商品情報等を印字する印字部１１０（図２参照）を備える。ラベルプリンタ１０は、上部カバー１１と、本体カバー１２との間に設けられたラベル発行口１５から、印字部１１０が印字したラベル５０を発行する。なお、ラベルプリンタ１０は、プリンタ装置の一例である。
【０００９】
ラベルプリンタ１０は、スキャナ３２と接続している。スキャナ３２は、商品の包装材に貼付または印字された、商品コード等を含むコードシンボル（例えばバーコード）を読み取る。商品コードとは、商品を一意に識別可能な識別情報である。
【００１０】
ラベルプリンタ１０は、スキャナ３２が読み取ったバーコードに含まれる商品コードに基づいて、ラベルプリンタ１０が記憶するＰＬＵファイルＦ１（図２参照）の中から、読み取った商品コードに対応する商品の商品情報を読み出す。そして、ラベルプリンタ１０は、読み出した商品情報等を、予め設定されている所定のフォーマットに配置して、ラベル５０の印刷データを生成する。
【００１１】
ラベル５０は、少なくとも商品名称と賞味期限とを含む情報が印字された印字媒体である。具体的なラベル５０の例については後述する。
【００１２】
ラベルプリンタ１０は、店舗内ＬＡＮ（Local  Area  Network）等の通信回線３０を介して、サーバ装置と接続する。サーバ装置は、ラベルプリンタ１０に対して、逐次更新される、後述するＰＬＵファイルＦ１を送信する。
【００１３】
（ラベルプリンタのハードウェア構成の説明）
次に、ラベルプリンタ１０のハードウェア構成について説明する。図２は、ラベルプリンタ１０のハードウェア構成の一例を示すブロック図である。ラベルプリンタ１０は、各部を制御するための制御部１００を備える。制御部１００は、ＣＰＵ（Central  Processing  Unit）１０１と、ＲＯＭ（Read  Only  Memory）１０２と、ＲＡＭ（Random  Access  Memory）１０３とを備える。ＣＰＵ１０１は、バスライン１０４を介して、ＲＯＭ１０２と、ＲＡＭ１０３と接続する。ＣＰＵ１０１は、ＲＯＭ１０２や記憶部１０５に記憶された各種プログラムを、ＲＡＭ１０３に展開する。ＣＰＵ１０１は、ＲＡＭ１０３に展開された各種プログラムに従って動作することで、ラベルプリンタ１０を制御する。すなわち、制御部１００は、一般的なコンピュータの構成を有する。
【００１４】
制御部１００は、更に、バスライン１０４を介して、記憶部１０５と、コントローラ１０９と、通信インタフェース１１１と接続する。
【００１５】
記憶部１０５は、電源を切っても記憶情報が保持される、ＳＤカードやＵＳＢメモリ等の不揮発性メモリである。記憶部１０５は、制御プログラムＰ１と、ＰＬＵ（Price  Look  Up）ファイルＦ１と、保管場所マスタＦ２と、発行実績ファイルＦ３とを記憶する。制御プログラムＰ１は、ラベルプリンタ１０が備える機能を発揮させるためのプログラムである。
【００１６】
ＰＬＵファイルＦ１は、商品コードごとに、各商品コードを有する商品に係る商品情報を記憶する。ＰＬＵファイルＦ１は、サーバ装置において逐次更新されて、通信回線３０を介して、最新のファイルがラベルプリンタ１０に送信される。ＰＬＵファイルＦ１は、商品名称、商品価格、製造年月日、賞味期限、消費期限、生産地等の商品情報を記憶する。
【００１７】
保管場所マスタＦ２は、商品の保管場所の一覧を示す情報を格納したファイルである。詳しくは後述する（図６）。
【００１８】
発行実績ファイルＦ３は、ラベルプリンタ１０がラベル５０に印字した情報を、ラベルの発行実績として格納したファイルである。詳しくは後述する（図８）。
【００１９】
コントローラ１０９は、ディスプレイ１３と、タッチパネル１４と、スキャナ３２と、印字部１１０と接続する。コントローラ１０９は、制御部１００からの指令に基づいて、接続された各種ハードウェアの動作を制御する。
【００２０】
ディスプレイ１３は、ラベルプリンタ１０の動作状態に応じた情報を表示する。ディスプレイ１３は、例えば液晶ディスプレイである。
【００２１】
タッチパネル１４は、ディスプレイ１３に重畳して設置される。タッチパネル１４は、ディスプレイ１３に表示された各種ボタンに対する操作者の操作情報を検出して、操作情報に対応する情報を、制御部１００に送信する。
【００２２】
印字部１１０は、ともに不図示のプラテンローラと印字ヘッドとを備える。プラテンローラは、本体カバー１２（図１参照）の内部に収納されたラベル用紙を回転することで引き出して搬送する。印字ヘッドは、例えばサーマルヘッドである。印字ヘッドは、プラテンローラが搬送したラベル用紙に印字を行う。
【００２３】
通信インタフェース１１１は、店舗内ＬＡＮ等の通信回線３０（図１参照）を介して、サーバ装置と通信するためのインタフェースである。
【００２４】
（ラベルプリンタの機能構成の説明）
次に、ラベルプリンタ１０の機能構成について、図３を用いて説明する。図３は、ラベルプリンタ１０の機能構成の一例を示す機能ブロック図である。ラベルプリンタ１０の制御部１００は、制御プログラムＰ１（図２）をＲＡＭ１０３に展開して動作させることによって、図３に示す保管場所指定部４０と、印字データ取得部４１と、印字実行部４２と、印字データ記憶部４３と、残期間算出部４４と、情報表示部４５とを、機能部として実現する。
【００２５】
保管場所指定部４０は、商品の保管場所を指定する。なお、保管場所指定部４０は、指定手段の一例である。また、保管場所指定部４０は、既に保管場所を指定した商品に対して、保管場所の変更を指定する。さらに、保管場所指定部４０は、既に保管場所を指定した商品に対して、当該商品の一部に対して、新たな保管場所を指定する。
【００２６】
印字データ取得部４１は、保管場所指定部４０が保管場所を指定した商品の商品情報を、ＰＬＵファイルＦ１から取得する。
【００２７】
印字実行部４２は、保管場所指定部４０が保管場所を指定した商品に貼付する、少なくとも商品の名称と当該商品の賞味期限と賞味時間とを含む情報を、ラベル５０に印字する。また、印字実行部４２は、更に商品の保管場所をラベル５０に印字する。なお、印字実行部４２は、印字手段の一例である。
【００２８】
印字データ記憶部４３は、印字実行部４２が印字した情報を発行実績ファイルＦ３に記憶する。なお、印字データ記憶部４３は、記憶手段の一例である。
【００２９】
残期間算出部４４は、印字データ記憶部４３が記憶した情報に基づいて、その時点における商品の賞味期限までの残期間を算出する。また、残期間算出部４４は、ラベル５０を印字する際に、商品の賞味期限を算出する。なお、残期間算出部４４は、算出手段の一例である。
【００３０】
情報表示部４５は、印字実行部４２が印字した商品に係る情報を、当該商品の賞味期限までの残期間ごとに、ディスプレイ１３に表示する。なお、情報表示部４５は、表示手段の一例である。
【００３１】
（ラベルの説明）
図４は、ラベルプリンタ１０が印字するラベル５０の一例、及びラベル５０が貼付された商品の保存袋８０の一例を示す図である。ラベル５０を印字する担当者は、商品の保存袋８０を開封した際に、スキャナ３２で、図４（ｂ）に示すように、商品の保存袋８０に貼付または印字された、商品コードが登録されたバーコード８２を読み取る。印字データ取得部４１は、スキャナ３２がバーコード８２から読み取った商品コードに関連する情報を、ＰＬＵファイルＦ１から読み出す。これによって、印字データ取得部４１は、ラベル５０の印字に必要な情報を取得する。そして、印字実行部４２は、ラベル５０を印字する。
【００３２】
図４（ａ）に示すように、ラベル５０には、商品の商品（食材）名５１と、ラベル５０の印字日時５２と、商品の賞味時間５３と、賞味期限５４と、印字担当者名５５と、商品の保管場所５６と、品番５７とが印字される。
【００３３】
商品名５１は、商品又は食材の名称を示す情報である。商品名５１は、印字データ取得部４１が、ＰＬＵファイルＦ１から取得する。
【００３４】
印字日時５２は、ラベル５０が印字された日時である。印字日時５２は、印字データ取得部４１が、ＣＰＵ１０１が備える、計時を行うタイマーから取得する。
【００３５】
賞味時間５３は、商品の保存袋８０を開封してからの賞味時間である。賞味時間５３は、印字データ取得部４１が、ＰＬＵファイルＦ１から取得する。
【００３６】
賞味期限５４は、印字データ取得部４１が、ラベル５０が印字された時間と賞味時間５３とから算出した商品の賞味期限である。
【００３７】
印字担当者名５５は、ラベル５０を印字した担当者の氏名である。印字担当者名５５は、予め記憶部１０５等に登録されており、ラベル５０を印字する際に、印字データ取得部４１が取得する。
【００３８】
保管場所５６は、商品の保管場所である。保管場所５６は、印字実行部４２が、保管場所指定部４０が指定した情報を取得する。
【００３９】
品番５７は、商品の品番である。品番５７は、印字データ取得部４１が、ＰＬＵファイルＦ１から取得する。
【００４０】
（保管場所の指定方法の説明）
図５から図７を用いて、商品の保管場所を指定する方法を説明する。図５は、商品の保管場所である冷蔵庫１２０の一例を示す図である。図６は、商品の保管場所の一覧を示す保管場所マスタＦ２の一例を示す図である。図７は、商品の保管場所を指定する保管場所指定画面Ｄ１の一例を示す図である。
【００４１】
冷蔵庫１２０は、左上扉１２０ａと、右上扉１２０ｂと、左下扉１２０ｃと、右下扉１２０ｄを備える。冷蔵庫１２０は、各扉の内側に、それぞれ保管場所を備えている。なお、図５に示す冷蔵庫１２０は一例であって、保管場所は４か所に限定されるものではない。
【００４２】
保管場所マスタＦ２は、図６に示すように、保管場所番号１３０ａと、保管場所名称１３０ｂを格納している。
【００４３】
保管場所番号１３０ａは、各保管場所に対して一意に関連付けられた識別番号である。保管場所名称１３０ｂは、各保管場所の名称を示す。
【００４４】
なお、保管場所として、複数台の冷蔵庫を用いてもよい。保管場所として複数台の冷蔵庫を用いる場合は、各冷蔵庫に対して、当該冷蔵庫を一意に特定する番号（例えば、冷蔵庫Ａ、冷蔵庫Ｂ、…等）を付与する。そして、複数の冷蔵庫の各保管場所に通し番号を付与して、当該通し番号によって保管場所を管理する。或いは、冷蔵庫を特定する番号と、当該冷蔵庫の中の保管場所を特定する番号との２つの番号の組み合わせによって保管場所を管理してもよい。
【００４５】
保管場所指定画面Ｄ１は、ラベルプリンタ１０のディスプレイ１３に表示される画面である。ラベルプリンタ１０を操作する担当者は、商品の保管場所を指定する際に、操作メニューを操作することによって、保管場所指定画面Ｄ１を表示させる。保管場所指定画面Ｄ１には、保管場所候補情報１３２ａ、１３２ｂ、１３２ｃ、１３２ｄ、１３２ｅが表示される。保管場所候補情報１３２ａ、１３２ｂ、１３２ｃ、１３２ｄ、１３２ｅは、商品の保管場所の候補を示す。ラベルプリンタ１０を操作する担当者は、タッチパネル１４を操作して、商品の保管場所を選択する。選択された保管場所は、図７に示すように、色等の表示形態が変更されて、当該場所が選択されたことを表す。図７は、保管場所として冷蔵庫Ａの右上扉が選択された例である。そして、選択した保管場所候補情報１３２ｂを再度押下すると、選択した保管場所が確定される。確定した保管場所は、保管場所表示エリア１３４に表示される。なお、保管場所を示す保管場所候補情報１３２ｂを２回押下することによって保管場所を確定する例を示したが、保管場所の選択、確定方法はこれに限定されるものではない。例えば、保管場所候補情報１３２ｂを長押しすることによって、選択、確定を１回の押下操作で行ってもよい。
【００４６】
（ラベル発行実績ファイルの説明）
図８は、ラベル５０の発行実績を示す発行実績ファイルＦ３の一例を示す図である。発行実績ファイルＦ３は、商品の品番１４０ａと、商品（食材）名称１４０ｂと、ラベル発行日時１４０ｃと、賞味期限１４０ｄと、保管場所１４０ｅとを格納している。
【００４７】
発行実績ファイルＦ３が格納する各情報の内容は、前記した通り（図４（ａ））であるため、説明は省略する。なお、生成された発行実績ファイルＦ３は、記憶部１０５に記憶されて、印字実行部４２がラベル５０を印字する都度、ラベル５０の発行実績が追加される。
【００４８】
（残期間表示画面の説明）
図９は、商品の賞味期限までの残期間を表示した残期間表示画面Ｄ２の一例を示す図である。残期間表示画面Ｄ２は、ラベルプリンタ１０の操作メニュー（非図示）を操作することによって、ディスプレイ１３に表示される。残期間表示画面Ｄ２は、賞味期限までの残期間１４２と、選択された残期間に該当する商品情報１４２ａ、１４２ｂを表示する。
【００４９】
賞味期限までの残期間は、残期間算出部４４が、発行実績ファイルＦ３から読み出した賞味期限１４０ｄから現在日時を減算することによって算出する。なお、現在日時は、残期間算出部４４が、ＣＰＵ１０１が備えるタイマーから取得する。
【００５０】
残期間１４２は、例えば日数ごとに整理されている。図９は、担当者がタッチパネル１４を操作して、賞味期限までの残期間１４２として「２日」を選択した例を示す。このとき、商品情報１４２ａ、１４２ｂとして、賞味期限までの残期間が２日以内の商品が全て表示される。同様に、図９において、賞味期限までの残期間１４２として「１日」を選択すると、賞味期限までの残期間が１日以内の商品が全て表示される。
【００５１】
商品を取り扱う担当者は、残期間表示画面Ｄ２を確認して、賞味期限が近い商品を優先的に使用する。なお、図９には記載していないが、使用する商品へのアクセスを容易にするために、商品情報１４２ａ、１４２ｂの欄に、それらの商品の保管場所を同時に表示してもよい。
【００５２】
（商品の保管場所の変更方法の説明）
図１０は、商品の保管場所を変更する際の保管場所変更指定画面Ｄ３ａ、Ｄ３ｂ、Ｄ３ｃの一例を示す図である。図１０（ａ）の保管場所変更指定画面Ｄ３ａは、ラベルプリンタ１０の操作メニュー（非図示）を操作することによって、ディスプレイ１３に表示される。そして、担当者がタッチパネル１４を操作することによって、保管場所変更指定画面Ｄ３ｂ図１０（ｂ）、Ｄ３ｃ図１０（ｃ）と遷移する。
【００５３】
保管場所変更指定画面Ｄ３ａは、保管場所を変更したい商品を呼び出して、保管場所の変更を指示する画面である。保管場所変更指定画面Ｄ３ａには、保管場所変更指示ボタン１３６と、保管場所追加指示ボタン１３７が表示される。
【００５４】
保管場所変更指示ボタン１３６は、現在指定されている保管場所の変更を指示するボタンである。保管場所追加指示ボタン１３７は、既に保管場所が指定されている商品の一部を別の保存袋等に小分けして、小分けした商品の保管場所を新たに指定することを指示するボタンである。ここでは、保管場所変更指示ボタン１３６が選択されたものとする。
【００５５】
図１０（ｂ）の保管場所変更指定画面Ｄ３ｂは、保管場所変更指定画面Ｄ３ａにおいて、保管場所変更指示ボタン１３６が選択された場合に表示される画面である。保管場所変更指定画面Ｄ３ａには、商品Ｃの保管場所情報１３８が表示される。保管場所情報１３８は、既に指定されている、商品Ｃの保管場所を示す情報である。
【００５６】
担当者がタッチパネル１４を操作して、保管場所情報１３８を選択すると、保管場所変更指定画面Ｄ３ｂは、保管場所変更指定画面Ｄ３ｃに遷移する。
【００５７】
図１０（ｃ）の保管場所変更指定画面Ｄ３ｃは、商品Ｃの新たな保管場所を指定する画面である。保管場所変更指定画面Ｄ３ｃには、保管場所候補情報１３２ａ、１３２ｂ、１３２ｃ、１３２ｄ、１３２ｅが表示される。保管場所候補情報１３２ａ、１３２ｂ、１３２ｃ、１３２ｄ、１３２ｅは、図７で説明した通りである。担当者は、タッチパネル１４を操作して、新たな保管場所を選択する。図１０（ｃ）は、新たな保管場所として、冷蔵庫Ａの左上扉を示す保管場所候補情報１３２ｂを選択した例を示す。
【００５８】
この後、新たな保管場所が印字されたラベル５０が印字される。なお、保管場所を変更したことに伴い、以前の保管場所を示す情報、すなわち旧ラベルの発行実績を、発行実績ファイルＦ３から消し込む必要がある。そのため、保管場所指定部４０は、保管場所が変更されたことを検出して、発行実績ファイルＦ３から旧ラベルの発行実績を削除する。
【００５９】
なお、図１０には記載しないが、保管場所変更指定画面Ｄ３ａにおいて保管場所追加指示ボタン１３７が選択された場合にも、先の説明と同様に、保管場所変更指定画面Ｄ３ｂ、Ｄ３ｃと遷移して、追加する保管場所を指定することができる。なお、保管場所を追加する場合、追加前の保管場所を示す情報、すなわち旧ラベルの発行実績は残るため、発行実績ファイルＦ３から旧ラベルの発行実績は削除しない。そして、発行実績ファイルＦ３には、保管場所の追加実績が追加される。
【００６０】
（ラベルの印字を行う処理の流れの説明）
図１１は、第１の実施形態のラベルプリンタ１０が、ラベル５０の印字を行う際の処理の流れの一例を示すフローチャートである。
【００６１】
印字実行部４２は、ラベル５０の印字指示があるかを判定する（ステップＳ１０）。ラベル５０の印字指示があると判定される（ステップＳ１０：Ｙｅｓ）とステップＳ１１に進む。一方、ラベル５０の印字指示があると判定されない（ステップＳ１０：Ｎｏ）と、例えばタイムアウトになるまでステップＳ１０を繰り返す。
【００６２】
ステップＳ１０において、ラベル５０の印字指示があると判定されると、印字データ取得部４１は、ＰＬＵファイルＦ１から、商品名称と賞味期限を読み出す（ステップＳ１１）。
【００６３】
次に、保管場所指定部４０は、商品の保管場所を指定させる（ステップＳ１２）。具体的な商品の保管場所の指定方法は、前記した通りである（図７参照）。
【００６４】
次に、残期間算出部４４は、商品の賞味期限を算出する（ステップＳ１３）。具体的には、残期間算出部４４は、ＣＰＵ１０１が備えるタイマーから現在日時を取得する。そして、残期間算出部４４は、現在日時に商品の賞味時間５３（図４）を加算することによって、商品の賞味期限を算出する。
【００６５】
印字実行部４２は、ラベル５０の印字を実行する（ステップＳ１４）。
【００６６】
印字データ記憶部４３は、ラベル５０の発行実績を記憶して、発行実績ファイルＦ３を更新する（ステップＳ１５）。その後、ラベルプリンタ１０は、図１１の処理を終了する。
【００６７】
（賞味期限までの残期間を表示する処理の流れの説明）
図１２は、第１の実施形態のラベルプリンタ１０が、商品の賞味期限までの残期間を表示する処理の流れの一例を示すフローチャートである。
【００６８】
残期間算出部４４は、賞味期限の確認指示があるかを判定する（ステップＳ２０）。賞味期限の確認指示があると判定される（ステップＳ２０：Ｙｅｓ）と、ステップＳ２１に進む。一方、賞味期限の確認指示があると判定されない（ステップＳ２０：Ｎｏ）と、例えばタイムアウトになるまでステップＳ２０を繰り返す。
【００６９】
ステップＳ２０において、賞味期限の確認指示があると判定されると、残期間算出部４４は、記憶部１０５から発行実績ファイルＦ３を読み出す（ステップＳ２１）。
【００７０】
次に、残期間算出部４４は、その時点における賞味期限日までの残期間を算出する（ステップＳ２２）。
【００７１】
情報表示部４５は、残期間算出部４４が算出した賞味期限日までの残期間を示す残期間表示画面Ｄ２を表示する（ステップＳ２３）。その後、ラベルプリンタ１０は、図１２の処理を終了する。
【００７２】
（商品の保管場所変更時に行う処理の流れの説明）
図１３は、第１の実施形態のラベルプリンタ１０が、商品の保管場所変更時に行う処理の流れの一例を示すフローチャートである。
【００７３】
保管場所指定部４０は、保管場所の変更指示があるかを判定する（ステップＳ３０）。保管場所の変更指示があると判定される（ステップＳ３０：Ｙｅｓ）と、ステップＳ３１に進む。一方、保管場所の変更指示があると判定されない（ステップＳ３０：Ｎｏ）と、例えばタイムアウトになるまでステップＳ３０を繰り返す。
【００７４】
ステップＳ３０において、保管場所の変更指示があると判定されると、印字データ取得部４１は、記憶部１０５から発行実績ファイルＦ３を読み出す（ステップＳ３１）。
【００７５】
保管場所指定部４０は、保管場所の再指定を行う（ステップＳ３２）。具体的な再指定の方法は、前記した通りである（図１０）。
【００７６】
印字実行部４２は、再指定された保管場所の情報を含むラベル５０を印字する（ステップＳ３３）。
【００７７】
保管場所指定部４０は、ステップＳ３３で印字したラベル５０が再発行されたラベルかを判定する（ステップＳ３４）。ステップＳ３３で印字したラベル５０が再発行されたラベルであると判定される（ステップＳ３４：Ｙｅｓ）と、ステップＳ３５に進む。一方、ステップＳ３３で印字したラベル５０が再発行されたラベルであると判定されない（ステップＳ３４：Ｎｏ）、すなわち新規に発行されたラベルである場合は、ステップＳ３６に進む。
【００７８】
ステップＳ３４において、ステップＳ３３で印字したラベル５０が再発行されたラベルであると判定されると、保管場所指定部４０は、旧ラベルの発行実績を、発行実績ファイルＦ３から削除する（ステップＳ３５）。
【００７９】
そして、印字データ記憶部４３は、発行実績ファイルＦ３を更新して記憶する（ステップＳ３６）。の後、ラベルプリンタ１０は、図１３の処理を終了する。
【００８０】
以上説明したように、第１の実施形態のラベルプリンタ１０（プリンタ装置）によると、印字実行部４２（印字手段）は、保管場所指定部４０（指定手段）が保管場所を指定した商品に貼付する、少なくとも商品の名称と賞味期限とを含む情報をラベル５０に印字する。印字データ記憶部４３（記憶手段）は、印字した情報を記憶して、残期間算出部４４（算出手段）は、印字データ記憶部４３が記憶した情報に基づいて、その時点における商品の賞味期限までの残期間を算出する。そして、情報表示部４５（表示手段）は、印字実行部４２が印字した商品に係る情報を、残期間ごとに表示する。したがって、商品を取り扱う担当者は、その時点における賞味期限までの残期間を容易に確認することができるとともに、商品の保管場所を容易に指定することができる。すなわち、簡易な構成で、商品の保管場所および賞味期限を管理することができる。
【００８１】
また、第１の実施形態のラベルプリンタ１０によると、印字実行部４２（印字手段）は、更に、商品の保管場所を印字する。したがって、保管場所から商品を取り出した担当者とは異なる担当者が商品を保管場所に戻す場合であっても、商品を、指定した保管場所に確実に戻すことができる。
【００８２】
また、第１の実施形態のラベルプリンタ１０によると、保管場所指定部４０（指定手段）は、更に、既に保管場所を指定した商品に対して、保管場所の変更を指定する機能を備える。したがって、保管場所の変更を容易に行うことができる。
【００８３】
また、第１の実施形態のラベルプリンタ１０によると、保管場所指定部４０（指定手段）は、更に、既に保管場所を指定した商品に対して、当該商品の一部について新たな保管場所を指定する機能を備える。したがって、商品の一部を小分けした場合に、小分けした商品の保管場所を容易に指定することができる。
【００８４】
（第２の実施形態）
以下、添付図面を参照して、本発明の第２の実施形態について説明する。
【００８５】
図１４は、第２の実施形態のプリンタシステム１ａの一例を示す外観図である。プリンタシステム１ａは、ラベルプリンタ１０とサーバ装置２０とが、通信回線３０で接続された構成を有する。
【００８６】
ラベルプリンタ１０は、商品の保管場所の指定と、商品に貼付するラベル５０の印字と、その時点における商品の賞味期限までの残期間の算出と、商品の賞味期限までの残期間の表示等を行う。ラベルプリンタ１０は、第１の実施形態で説明したのと同様の構成を備える。
【００８７】
サーバ装置２０は、ラベルプリンタ１０がラベル５０に印字した情報を発行実績ファイルＦ３に記憶する。また、サーバ装置２０は、複数のラベルプリンタ１０が作成した発行実績ファイルＦ３を管理する。
【００８８】
サーバ装置２０は、情報を表示するディスプレイ２１０と、操作情報を入力するタッチパネル２１１とキーボード２１２を備える。
【００８９】
プリンタシステム１ａは、第１の実施形態で説明したラベルプリンタ１０が備える機能のうち、印字データを記憶する機能をサーバ装置２０に分担させたものである。
【００９０】
（サーバ装置のハードウェア構成の説明）
図１５は、サーバ装置２０のハードウェア構成の一例を示すハードウェアブロック図である。サーバ装置２０は、各部を制御するための制御部２００を備える。制御部２００は、ＣＰＵ２０１と、ＲＯＭ２０２と、ＲＡＭ２０３とを備える。ＣＰＵ２０１は、バスライン２０４を介して、ＲＯＭ２０２と、ＲＡＭ２０３と接続する。ＣＰＵ２０１は、ＲＯＭ２０２や記憶部２０５に記憶された各種プログラムを、ＲＡＭ２０３に展開する。ＣＰＵ２０１は、ＲＡＭ２０３に展開された各種プログラムに従って動作することで、ラベルプリンタ１０を制御する。すなわち、制御部２００は、一般的なコンピュータの構成を有する。
【００９１】
制御部２００は、更に、バスライン２０４を介して、記憶部２０５と、コントローラ２０９と、通信インタフェース２１４と接続する。
【００９２】
記憶部２０５は、電源を切っても記憶情報が保持される、ＨＤＤ（Hard  Disk  Drive）等である。記憶部２０５は、制御プログラムＰ２と、ＰＬＵファイルＦ１と、発行実績ファイルＦ３とを記憶する。制御プログラムＰ２は、サーバ装置２０が備える機能を発揮させるためのプログラムである。ＰＬＵファイルＦ１と発行実績ファイルＦ３は、第１の実施形態で説明した通りである。
【００９３】
コントローラ２０９は、ディスプレイ２１０と、タッチパネル２１１と、キーボード２１２と接続する。コントローラ２０９は、制御部２００からの指令に基づいて、接続された各種ハードウェアの動作を制御する。
【００９４】
ディスプレイ２１０は、サーバ装置２０の動作状態に応じた情報を表示する。ディスプレイ２１０は、例えば液晶ディスプレイである。
【００９５】
タッチパネル２１１は、ディスプレイ２１０に重畳して設置される。タッチパネル２１１は、ディスプレイ２１０に表示された各種ボタンに対する操作者の操作情報を検出して、操作情報に対応する情報を、制御部２００に送信する。
【００９６】
キーボード２１２は、操作者の操作情報を検出して、操作情報に対応する情報を、制御部２００に送信する。なお、通常のコンピュータシステムと同様に、キーボード２１２とタッチパネル２１１とは、プリンタシステム１ａを制御する操作メニューのＧＵＩ（Graphical  User  Interface）の形態に応じて適宜使い分けられる。
【００９７】
通信インタフェース２１４は、店舗内ＬＡＮ等の通信回線３０を介して、サーバ装置２０とラベルプリンタ１０との間で通信を行うためのインタフェースである。
【００９８】
なお、ラベルプリンタ１０のハードウェア構成は、第１の実施形態で説明した通り（図２）であるため、説明は省略する。
【００９９】
（プリンタシステムの機能構成の説明）
図１６は、第２の実施形態のプリンタシステム１ａの機能構成の一例を示す機能ブロック図である。ラベルプリンタ１０の制御部１００は、制御プログラムＰ１（図２）をＲＡＭ１０３に展開して動作させることによって、図１６に示す保管場所指定部４０と、印字データ取得部４１と、印字実行部４２と、残期間算出部４４と、情報表示部４５と、通信制御部４６とを、機能部として実現する。通信制御部４６は、ラベルプリンタ１０とサーバ装置２０との間の通信を制御する。なお、その他の機能は、第１の実施形態で説明したラベルプリンタ１０の各部の機能と同様であるため、説明は省略する。
【０１００】
サーバ装置２０の制御部２００は、制御プログラムＰ２をＲＡＭ２０３に展開して動作させることによって、図１６に示す印字データ記憶部７０と、通信制御部７１とを、機能部として実現する。
【０１０１】
印字データ記憶部７０は、ラベルプリンタ１０の印字実行部４２が印字した情報を受信して記憶する。なお、印字データ記憶部７０は、記憶手段の一例である。
【０１０２】
通信制御部７１は、サーバ装置２０とラベルプリンタ１０との間の通信を制御する。
【０１０３】
（プリンタシステムが行う処理の流れの説明）
図１７は、第２の実施形態のプリンタシステム１ａが、新たなラベルの印字を行う際に行う処理の流れの一例を示すフローチャートである。以下、装置ごとに処理の流れを説明する。
【０１０４】
（ラベルプリンタが行う処理の流れの説明）
ラベルプリンタ１０が行うステップＳ４０からステップＳ４４の処理の内容は、第１の実施形態のラベルプリンタ１０が行うステップＳ１０からステップＳ１４の処理の内容（図１１）と同様であるため、説明は省略する。
【０１０５】
次に、通信制御部４６は、ラベル５０に印字した情報をラベル発行実績としてサーバ装置２０に送信する（ステップＳ４５）。その後、ラベルプリンタ１０は、図１７の処理を終了する。
【０１０６】
（サーバ装置が行う処理の流れの説明）
通信制御部７１は、ラベルプリンタ１０からラベル発行実績を受信したかを判定する（ステップＳ５０）。ラベル発行実績を受信したと判定される（ステップＳ５０：Ｙｅｓ）と、ステップＳ５１に進む。一方、ラベル発行実績を受信したと判定されない（ステップＳ５０：Ｎｏ）と、例えばタイムアウトになるまでステップＳ５０を繰り返す。
【０１０７】
ステップＳ５０において、ラベル発行実績を受信したと判定されると、印字データ記憶部７０は、ラベル発行実績を更新する（ステップＳ５１）。具体的には、印字データ記憶部７０は、発行実績ファイルＦ３を更新する。その後、サーバ装置２０は、図１７の処理を終了する。
【０１０８】
なお、図１７には記載しないが、ラベルプリンタ１０は、商品の賞味期限までの残期間の確認や、保管場所の変更等のために発行実績ファイルＦ３が必要になった際には、サーバ装置２０に対して発行実績ファイルＦ３の送信を要求する。サーバ装置２０は、ラベルプリンタ１０からの発行実績ファイルＦ３の送信要求を受けて、ラベルプリンタ１０に対して発行実績ファイルＦ３を送信する。
【０１０９】
また、サーバ装置２０は、複数のラベルプリンタ１０から発行実績ファイルＦ３を受信して、それらの発行実績ファイルＦ３を１つの発行実績ファイルＦ３にマージする。その際、マージされた発行実績ファイルＦ３をラベルプリンタ１０に送信するようにしてもよい。その場合、ラベルプリンタ１０は、受信した発行実績ファイルＦ３を、記憶部１０５（図２）に記憶しておく。
【０１１０】
以上説明したように、第２の実施形態のプリンタシステム１ａによると、ラベルプリンタ１０（プリンタ装置）の印字実行部４２（印字手段）が、保管場所指定部４０（指定手段）が保管場所を指定した商品に貼付する、少なくとも商品の名称と賞味期限とを含む情報を、ラベル５０に印字する。そして、サーバ装置２０の印字データ記憶部７０（記憶手段）が、ラベルプリンタ１０が印字した情報を記憶する。ラベルプリンタ１０の残期間算出部４４（算出手段）は、印字データ記憶部７０が記憶した情報に基づいて、その時点における商品の賞味期限までの残期間を算出する。そして、情報表示部４５（表示手段）は、印字実行部４２が印字した商品に係る情報を、残期間ごとに表示する。したがって、商品を取り扱う担当者は、その時点における賞味期限までの残期間を容易に確認することができるとともに、商品の保管場所を容易に指定することができる。すなわち、簡易な構成で、商品の保管場所および賞味期限を管理することができる。
【０１１１】
また、第２の実施形態のプリンタシステム１ａによると、ラベルプリンタ１０が印字した情報を、発行実績ファイルＦ３として、ラベルプリンタ１０の外部に記憶するため、複数のラベルプリンタ１０がそれぞれ印字した情報を一括して管理することができる。
【０１１２】
（第３の実施形態）
以下、添付図面を参照して、本発明の第３の実施形態について説明する。
【０１１３】
図１８は、第３の実施形態のプリンタシステム１ｂの一例を示す外観図である。プリンタシステム１ｂは、ラベルプリンタ１０と、サーバ装置２０と、端末装置６０とを備える。ラベルプリンタ１０とサーバ装置２０とは、通信回線３０で接続されている。ラベルプリンタ１０と端末装置６０とは、通信回線３８で接続されている。
【０１１４】
ラベルプリンタ１０は、ラベル５０を印字する。ラベルプリンタ１０は、第１の実施形態で説明したのと同様の構成を備える。
【０１１５】
サーバ装置２０は、ラベルプリンタ１０が作成した発行実績ファイルＦ３を記憶する。サーバ装置２０は、第２の実施形態で説明したのと同様の構成を備える。
【０１１６】
端末装置６０は、商品の保管場所の指定と、その時点における商品の賞味期限までの残期間の算出と、商品の賞味期限までの残期間の表示等を行う。
【０１１７】
端末装置６０は、情報を表示するディスプレイ６３と、操作情報を入力するタッチパネル６４とキーボード６５を備える。
【０１１８】
プリンタシステム１ｂは、第１の実施形態で説明したラベルプリンタ１０が備える機能のうち、印字データを記憶する機能をサーバ装置２０に分担させて、ラベル５０を印字する機能をラベルプリンタ１０に分担させて、それ以外の機能を端末装置６０に分担させたものである。
【０１１９】
（端末装置のハードウェア構成の説明）
図１９は、端末装置６０のハードウェア構成の一例を示すハードウェアブロック図である。端末装置６０は、各部を制御するための制御部３００を備える。制御部３００は、ＣＰＵ３０１と、ＲＯＭ３０２と、ＲＡＭ３０３とを備える。ＣＰＵ３０１は、バスライン３０４を介して、ＲＯＭ３０２と、ＲＡＭ３０３と接続する。ＣＰＵ３０１は、ＲＯＭ３０２や記憶部３０５に記憶された各種プログラムを、ＲＡＭ３０３に展開する。ＣＰＵ３０１は、ＲＡＭ３０３に展開された各種プログラムに従って動作することで、ラベルプリンタ１０を制御する。すなわち、制御部３００は、一般的なコンピュータの構成を有する。
【０１２０】
制御部３００は、更に、バスライン３０４を介して、記憶部３０５と、コントローラ３０９と、通信インタフェース３１２と接続する。
【０１２１】
記憶部３０５は、電源を切っても記憶情報が保持される、ＨＤＤ等である。記憶部３０５は、制御プログラムＰ３と、ＰＬＵファイルＦ１と、保管場所マスタＦ２とを記憶する。制御プログラムＰ３は、端末装置６０が備える機能を発揮させるためのプログラムである。ＰＬＵファイルＦ１と保管場所マスタＦ２は、第１の実施形態で説明した通りである。
【０１２２】
コントローラ３０９は、ディスプレイ６３と、タッチパネル６４と、キーボード６５と接続する。コントローラ３０９は、制御部３００からの指令に基づいて、接続された各種ハードウェアの動作を制御する。
【０１２３】
ディスプレイ６３は、端末装置６０の動作状態に応じた情報を表示する。ディスプレイ６３は、例えば液晶ディスプレイである。
【０１２４】
タッチパネル６４は、ディスプレイ６３に重畳して設置される。タッチパネル６４は、ディスプレイ６３に表示された各種ボタンに対する操作者の操作情報を検出して、操作情報に対応する情報を、制御部３００に送信する。
【０１２５】
キーボード６５は、操作者の操作情報を検出して、操作情報に対応する情報を、制御部３００に送信する。なお、通常のコンピュータシステムと同様に、キーボード６５とタッチパネル６４とは、プリンタシステム１ｂを制御する操作メニューのＧＵＩの形態に応じて適宜使い分けられる。
【０１２６】
通信インタフェース３１２は、店舗内ＬＡＮ等の通信回線３８を介して、端末装置６０とラベルプリンタ１０との間で通信を行うためのインタフェースである。
【０１２７】
なお、ラベルプリンタ１０のハードウェア構成は、第１の実施形態で説明した通り（図２）であり、サーバ装置２０のハードウェア構成は、第２の実施形態で説明した通り（図１５）であるため、説明は省略する。
【０１２８】
（プリンタシステムの機能構成の説明）
図２０は、第３の実施形態のプリンタシステム１ｂの機能構成の一例を示す機能ブロック図である。ラベルプリンタ１０の制御部１００は、制御プログラムＰ１（図２）をＲＡＭ１０３に展開して動作させることによって、図２０に示す印字実行部４２と、通信制御部４６とを、機能部として実現する。通信制御部４６は、ラベルプリンタ１０とサーバ装置２０との間、及びラベルプリンタ１０と端末装置６０との間の通信を制御する。なお、印字実行部４２の機能は、第１の実施形態で説明したラベルプリンタ１０の印字実行部４２の機能と同様であるため、説明は省略する。
【０１２９】
サーバ装置２０の制御部２００は、制御プログラムＰ２をＲＡＭ２０３に展開して動作させることによって、図２０に示す印字データ記憶部７０と、通信制御部７１とを、機能部として実現する。通信制御部４６は、サーバ装置２０とラベルプリンタ１０との間の通信を制御する。なお、印字データ記憶部７０の機能は、第２の実施形態で説明したサーバ装置２０の印字データ記憶部７０の機能と同様であるため、説明は省略する。
【０１３０】
端末装置６０の制御部３００は、制御プログラムＰ３をＲＡＭ３０３に展開して動作させることによって、図２０に示す保管場所指定部９０と、印字データ取得部９１と、残期間算出部９２と、情報表示部９３と、通信制御部９４とを、機能部として実現する。
【０１３１】
通信制御部９４は、端末装置６０とラベルプリンタ１０との間の通信を制御する。
【０１３２】
なお、保管場所指定部９０と、印字データ取得部９１と、残期間算出部９２と、情報表示部９３の機能は、それぞれ、第１の実施形態で説明したラベルプリンタ１０の保管場所指定部４０と、印字データ取得部４１と、残期間算出部４４と、情報表示部４５の機能と同様であるため、説明は省略する。
【０１３３】
（プリンタシステムが行う処理の流れの説明）
図２１は、第３の実施形態のプリンタシステム１ｂが、新たなラベルの印字を行う際の処理の流れの一例を示すフローチャートである。以下、装置ごとに処理の流れを説明する。
【０１３４】
（ラベルプリンタが行う処理の流れの説明）
ラベルプリンタ１０の通信制御部４６は、端末装置６０から、ラベル５０に印字した印字情報を受信したかを判定する（ステップＳ６０）。印字情報を受信したと判定される（ステップＳ６０：Ｙｅｓ）とステップＳ６１に進む。一方、印字情報を受信したと判定されない（ステップＳ６０：Ｎｏ）と、例えばタイムアウトになるまでステップＳ６０を繰り返す。
【０１３５】
ステップＳ６０において、印字情報を受信したと判定されると、印字実行部４２は、ラベル５０の印字を実行する（ステップＳ６１）。その後、ラベルプリンタ１０は、図２１の処理を終了する。
【０１３６】
（端末装置が行う処理の流れの説明）
端末装置６０が行うステップＳ７０からステップＳ７３の処理の内容は、第１の実施形態のラベルプリンタ１０が行うステップＳ１０からステップＳ１３の処理の内容（図１１）と同様であるため、説明は省略する。
【０１３７】
次に、通信制御部９４は、ラベル５０に印字した印字情報をラベルプリンタ１０の通信制御部４６に送信する（ステップＳ７４）。
【０１３８】
さらに、通信制御部９４は、ラベル５０に印字した情報をラベル発行実績として、ラベルプリンタ１０の通信制御部４６を介して、サーバ装置２０の通信制御部７１に送信する（ステップＳ７５）。その後、端末装置６０は、図２１の処理を終了する。
【０１３９】
（サーバ装置が行う処理の流れの説明）
サーバ装置２０の通信制御部７１は、端末装置６０からラベル発行実績を受信したかを判定する（ステップＳ８０）。ラベル発行実績を受信したと判定される（ステップＳ８０：Ｙｅｓ）と、ステップＳ８１に進む。一方、ラベル発行実績を受信したと判定されない（ステップＳ８０：Ｎｏ）と、例えばタイムアウトになるまでステップＳ８０を繰り返す。
【０１４０】
ステップＳ８０において、ラベル発行実績を受信したと判定されると、印字データ記憶部７０は、ラベル発行実績を更新する（ステップＳ８１）。具体的には、印字データ記憶部７０は、発行実績ファイルＦ３を更新する。その後、サーバ装置２０は、図２１の処理を終了する。
【０１４１】
以上説明したように、第３の実施形態のプリンタシステム１ｂによると、ラベルプリンタ１０（プリンタ装置）の印字実行部４２（印字手段）が、端末装置６０の保管場所指定部９０（指定手段）が保管場所を指定した商品に貼付する、少なくとも商品の名称と賞味期限とを含む情報を、ラベル５０に印字する。そして、サーバ装置２０の印字データ記憶部７０（記憶手段）は、ラベルプリンタ１０が印字した情報を記憶する。端末装置６０の残期間算出部９２（算出手段）は、サーバ装置２０の印字データ記憶部７０が記憶した情報に基づいて、その時点における商品の賞味期限までの残期間を算出する。そして、端末装置６０の情報表示部９３（表示手段）は、ラベルプリンタ１０の印字実行部４２が印字した商品に係る情報を、残期間ごとに表示する。したがって、商品を取り扱う担当者は、その時点における賞味期限までの残期間を容易に確認することができるとともに、商品の保管場所を容易に指定することができる。すなわち、簡易な構成で、商品の保管場所および賞味期限を管理することができる。
【０１４２】
以上、本発明の実施形態を説明したが、この実施形態は例示であり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４３】
１ａ、１ｂ    プリンタシステム
１０          ラベルプリンタ
２０          サーバ装置
３２          スキャナ
４０、９０    保管場所指定部（指定手段）
４２          印字実行部（印字手段）
４３、７０    印字データ記憶部（記憶手段）
４４、９２    残期間算出部（算出手段）
４５、９３    情報表示部（表示手段）
６０          端末装置
Ｄ１          保管場所指定画面
Ｄ２          残期間表示画面
Ｄ３ａ、Ｄ３ｂ、Ｄ３ｃ      保管場所変更指定画面
Ｆ１          ＰＬＵファイル
Ｆ２          保管場所マスタ
Ｆ３          発行実績ファイル
【先行技術文献】
【特許文献】
【０１４４】
【特許文献１】特許第３８８１８８４号公報
【図１】
2020082541.tif 000003
【図２】
2020082541.tif 000004
【図３】
2020082541.tif 000005
【図４】
2020082541.tif 000006
【図５】
2020082541.tif 000007
【図６】
2020082541.tif 000008
【図７】
2020082541.tif 000009
【図８】
2020082541.tif 000010
【図９】
2020082541.tif 000011
【図１０】
2020082541.tif 000012
【図１１】
2020082541.tif 000013
【図１２】
2020082541.tif 000014
【図１３】
2020082541.tif 000015
【図１４】
2020082541.tif 000016
【図１５】
2020082541.tif 000017
【図１６】
2020082541.tif 000018
【図１７】
2020082541.tif 000019
【図１８】
2020082541.tif 000020
【図１９】
2020082541.tif 000021
【図２０】
2020082541.tif 000022
【図２１】
2020082541.tif 000023